(57)【要約】【課題】樹脂成形部品にフィルムを貼り合わせるとき、樹脂射出成形と同じ工程で、フィルムの破れがなく貼り合わせることを可能にする。【解決手段】キャビティプレート２０３に設けたキャビティ入れ子２０２を、キャビティプレート２０３とコアプレート２０９とのパーティング面よりもコアプレート方向に突出させてフィルム２０１に接触させた後、フィルム２０１を伸ばして予備成形させると共に、キャビティ入れ子２０２をヒータ２０７で加熱して、フィルム２０１を軟化させて伸ばしやすい状態にし、さらにエア吸引する。この状態でフィルム２０１をキャビティ入れ子２０２に密着させながら成形する。これによりフィルム２０１を破れがない状態で成形部品に貼り合わせることができる射出成形が行える。【選択図】図１
2010264669.tif 000002
【特許請求の範囲】
【請求項１】
成形品の表側となるキャビティ側金型と成形品の裏側となるコア側金型との間にフィルムを供給し、前記キャビティ側金型と前記コア側金型とのいずれか一方に設けた入れ子を、前記キャビティ側金型と前記コア側金型との合わせ面となるパーティング面方向へ移動させ、さらに前記入れ子を加熱しながら前記フィルムを吸着し、かつ前記入れ子を移動させることにより前記フィルムを伸ばし、その後、前記入れ子を後退させることによって成形した前記フィルムが存在するキャビティを形成し、前記キャビティの前記フィルム表面に樹脂を射出することにより、フィルムが貼り合わされた成形品を成形することを特徴とする射出成形方法。
【請求項２】
射出成形を行う前に、前記フィルムを予備成形させ、前記フィルムをあらかじめ伸ばした後に射出成形を行うことを特徴とする請求項１記載の射出成形方法。
【請求項３】
前記キャビティ側金型に設けられた前記入れ子を、前記パーティング面から前記コア側金型方向へ突出させることにより、前記フィルムを予備成形することを特徴とする請求項１または２記載の射出成形方法。
【請求項４】
前記コア側金型に設けられた前記入れ子を、前記パーティング面から前記キャビティ側金型方向へ突出させることにより、前記フィルムを予備成形することを特徴とする請求項１または２記載の射出成形方法。
【請求項５】
前記入れ子を加熱し、前記入れ子と前記フィルムを接触させて前記フィルムを軟化させて、前記フィルムの予備成形を行うことを特徴とする請求項１〜４いずれか１項記載の射出成形方法。
【請求項６】
エア吸引により前記入れ子に前記フィルムを吸着させることを特徴とする請求項１〜５いずれか１項記載の射出成形方法。
【請求項７】
射出成形を行う前に、前記キャビティ側金型から前記フィルムへ圧力を加え、前記フィルムを前記コア側金型へ密着させることにより、前記フィルムを予備成形することを特徴とする請求項１〜６いずれか１項記載の射出成形方法。
【請求項８】
成形品の表側となるキャビティ側金型と、成形品の裏側となるコア側金型と、前記キャビティ側金型と前記コア側金型とのいずれか一方に設けられて、前記キャビティ側金型と前記コア側金型との合わせ面となるパーティング面方向へ移動可能な入れ子と、前記キャビティ側金型と前記コア側金型との間にフィルムを供給するフィルム供給部と、前記入れ子に設けられて前記フィルムを加熱する加熱部と、前記入れ子に設けられて前記フィルムを吸着する吸着部とを備え、
前記フィルム供給部により前記キャビティ側金型と前記コア側金型間にフィルムを供給し、前記入れ子をパーティング面方向へ移動させ、さらに前記入れ子を加熱しながら前記フィルムを吸着し、かつ前記入れ子を移動させることにより前記フィルムを伸ばし、その後、前記入れ子を後退させることによって成形した前記フィルムが存在するキャビティを形成し、前記キャビティの前記フィルム表面に樹脂を射出することにより、フィルムが貼り合わされた成形品を成形することを特徴とする射出成形金型装置。
【請求項９】
前記キャビティ側金型に設けられた前記入れ子を、前記フィルムを予備成形するため前記キャビティ側金型に対してパーティング面から前記コア側金型方向へ突出可動に設けたことを特徴とする請求項８記載の射出成形金型装置。
【請求項１０】
前記コア側金型に設けられた前記入れ子を、前記フィルムを予備成形するため前記コア側金型に対してパーティング面から前記キャビティ側金型方向へ突出可動に設けたことを特徴とする請求項８記載の射出成形金型装置。
【請求項１１】
前記入れ子にエア吸引孔を設け、前記エア吸引孔の吸引により前記入れ子と前記フィルムを密着させながら前記フィルムを成形することを特徴とする請求項８〜１０いずれか１項記載の射出成形金型装置。
【請求項１２】
前記入れ子の少なくとも一部を多孔質材にて形成し、多孔質部にてエア吸引を行わせて前記入れ子と前記フィルムを密着させながら前記フィルムを成形することを特徴とする請求項８〜１０いずれか１項記載の射出成形金型装置。
【請求項１３】
前記フィルムを予備成形する場合、樹脂成形品と貼り合わせる部分の前記フィルムの外周を、前記フィルムと若干の隙間を確保しながらを押える機構を備えたことを特徴とする請求項８〜１０記載の射出成形金型装置。
【請求項１４】
前記フィルムを押える機構に、射出成形されて前記フィルムを貼り合わせ後に、前記フィルムの外周を切断する切断部を設けたことを特徴とする請求項１３記載の射出成形金型装置。
【発明の詳細な説明】
【技術分野】
【０００１】
本発明は、金型にて射出成形を行い、樹脂成形部品を製作するとき、射出成形と同時に、射出成形品の表面にフィルムを貼り合わせる射出成形方法、および射出成形金型装置に関するものである。
【背景技術】
【０００２】
射出成形によって得られた樹脂部品の表面に加飾を施す場合、塗装により色や模様付けを行うのが一般的である。しかしながら、デザイン性の多様化、あるいは塗装による環境問題などにより、塗装に代わる加飾工法が求められている。
【０００３】
そこで近年、デザインが印刷されたフィルムを樹脂部品に貼り合わせる工法が注目を集めてきている。これらのフィルムに対する加飾は、印刷にて行われているため、木目調や大理石調など、従来の塗装ではできなかったデザインを表現することが可能である。また、フィルムの表面に凹凸を付けることにより、木目調などの手触り感も表現することができる。
【０００４】
これらのフィルムを樹脂成形部品に貼り合わせる方法としては、フィルムを貼り合わせる樹脂成形部品と同じ形状に、真空成形工法などを用いてフィルム単品を予備成形し、その後、そのフィルムを射出成形金型内に挿入し、フィルムと一緒に射出成形を行い、フィルムと樹脂を熱溶着にて接合させる方法が採用されている。
【０００５】
しかしながら、前記方法では、フィルムを予備成形する工程が必要なため、近年では、射出成形金型内で、射出成形と同時に成形品の表面にフィルムを貼り合わせる取り組みがなされている。
【０００６】
以下、従来の実施の形態について、図面を参照しながら説明する。
【０００７】
図１０は射出成形金型内で射出成形とフィルムの貼り合わせとを同時に行う方法に採用される金型の断面図である。
【０００８】
成形樹脂部品に貼り合わせるフィルム１０１を、ベースプレート１０３に設けられて金型を構成するキャビティプレート１０２とコアプレート１０４との間に挿入する。その後、金型を閉じてキャビティプレート１０２とコアプレート１０４を接触させ、樹脂挿入口１０５から樹脂を流し込んで、樹脂を成形させる。それと同時に、コアプレート１０４側の樹脂挿入口１０５から流し込まれる樹脂により、フィルム１０１をキャビティプレート１０２面に押し付けてフィルム成形し、熱溶着によりフィルムを成形樹脂に貼り合わせる。
【０００９】
しかしながら、流し込まれる高温の樹脂圧で、成形と同時に数秒の短時間でフィルム１０１を成形するため、フィルム１０１が伸びきれない状態となる。また、キャビティプレート１０２とコアプレート１０４とにより、成形品となる周囲のフィルム部分を挟んでしまい、フィルム１０１の成形と共に、外周部のフィルム１０１が成形品の方向に移動しないため、フィルム１０１の破れが発生する。この発生箇所としては、特に、樹脂成形品のコーナ部や曲面形状になっている部分において顕著である。
【００１０】
そこで、図１１に示すように、キャビティプレート１０２とベースプレート１０３を貫通するエア吸引孔１０６を設け、フィルム１０１がキャビティプレート１０２とコアプレート１０３の間に配された後、図１２（ａ）に示すように、エア吸引孔１０６からエアを吸引することにより、フィルム１０１をキャビティプレート１０２に密着させ、射出成形前にフィルム１０１の予備成形が行われるようにした構成のものがある。
【００１１】
このようにすることにより、射出成形前に貼り合わせる形状にフィルム１０１を予備成形することができるため、射出成形と同時にフィルム１０１の成形を行う場合と比べ、フィルム１０１の破れが少なく、また樹脂に密着し易くなるので、貼り合わせ強度も強くなる（特許文献１参照）。
【先行技術文献】
【特許文献】
【００１２】
【特許文献１】特開２００８−１０５４１５号公報
【発明の概要】
【発明が解決しようとする課題】
【００１３】
しかしながら、図１１，図１２（ａ）に示すようなエア吸引孔１０６からエアを吸引することによりフィルム１０１を予備成形する方法であっても、いくつかの問題が発生する。
【００１４】
まず、エア吸引孔１０６からエアを吸引して、フィルム１０１をキャビティプレート１０２に密着させると、図１２（ｂ）に示すように、エア吸引孔１０６の形状に沿って、フィルム１０１に変形部分１０８が発生する。エア吸引孔１０６の孔直径がフィルム１０１の厚みの半分以下であれば、大きな変形は発生しない。
【００１５】
しかしながら、フィルムの厚みは０．１ｍｍ〜０．３ｍｍが一般的であるので、エア吸引孔１０６を、その半分以下の直径の孔に加工することは困難である。また、前記変形が発生しなくても、エア吸引孔１０６の孔の圧痕は発生する。特に、鏡面状態のフィルムであると顕著に発生する。
【００１６】
エア吸引孔の加工性を考慮して、厚いフィルムを使用することも考えられるが、フィルムが厚くなればなるほど、フィルムの成形性は悪くなる。フィルムの成形性を向上させるため、フィルムをキャビティプレート面へ密着させるには、エア吸引孔が多ければ多いほど密着性がよいが、その分、エア吸収孔の加工が大変となる。樹脂成形品が大きければ、エア吸引孔も多く必要である。
【００１７】
エアでフィルムを予備成形する場合、図１２に示すように、フィルム１０１をキャビティプレート１０２のコーナ部１０７面に密着させることは難しい。エアでキャビティプレート１０２にフィルム１０１を密着させる力よりも、フィルム１０１が反発する力の方が強いため、完全にフィルムを伸ばしきることができず、コーナ部１０７でのフィルム浮きが発生してしまう。また、エアの吸引方向におけるフィルム１０１の密着力はかなり大きいが、吸引方向と直角方向（側壁面）への密着力は弱くなってしまう。
【００１８】
フィルム１０１をエアで吸引する場合、フィルム１０１はキャビティプレート１０２の表面に密着しておく必要がある。少しでも浮きが発生していると、そこからエアが漏れて、フィルム１０１の成形ができなくなってしまう。
【００１９】
フィルム１０１をキャビティプレート１０２の表面に密着させるため、図１３に示すように、金型にフィルム押え１０９を設けることは可能である。ただし、この場合、フィルムの樹脂成形部の外周を拘束するため、エア吸引と同時にフィルム１０１が樹脂成形品の方向へ移動しないため、フィルム破れの原因となる。
【００２０】
伸び特性が悪いフィルムは、フィルム成形時にフィルムを外周から移動させる必要がある。ただし、フィルムを樹脂成形品の外周から、樹脂成形品の中央方向へ移動させると、フィルムが中心方向へ集まってくるため、樹脂成形品の外周部分のフィルムにしわが発生する。
【００２１】
図１４に前記方法で、エア吸引することでフィルムを予備成形し、その後、射出成形してフィルムを貼り合わせた場合の樹脂成形品の一部断面図を示す。樹脂１１１の表面にフィルム１０１が貼られているが、フィルムコーナ部１１０に破れが発生し、また、エア吸引していた部分には、１０７のような変形が発生する。
【００２２】
結局、従来のエアを吸引させる方法では、フィルムを変形させずに、所定の形状に予備成形させることは難しい。
【００２３】
本発明は、前記従来の課題を解決するものであり、射出成形金型内で射出成形とフィルムの貼り合わせとを同時に行うときに、フィルムが破れることなく予備成形させることができ、また成形樹脂部品とフィルムとを密着させることにより、成形樹脂品にフィルムを破れることなく貼り合わせることができる射出成形方法および射出成形金型装置を提供することを目的とする。
【課題を解決するための手段】
【００２４】
上記目的を達成するために、本発明の射出成形方法は、成形品の表側となるキャビティ側金型と成形品の裏側となるコア側金型との間にフィルムを供給し、前記キャビティ側金型と前記コア側金型とのいずれか一方に設けた入れ子を、前記キャビティ側金型と前記コア側金型との合わせ面となるパーティング面方向へ移動させ、さらに前記入れ子を加熱しながら前記フィルムを吸着し、かつ前記入れ子を移動させることにより前記フィルムを伸ばし、その後、前記入れ子を後退させることによって成形した前記フィルムが存在するキャビティを形成し、前記キャビティの前記フィルム表面に樹脂を射出することにより、フィルムが貼り合わされた成形品を成形することを特徴とする。
【００２５】
また、本発明の射出成形金型装置は、成形品の表側となるキャビティ側金型と、成形品の裏側となるコア側金型と、前記キャビティ側金型と前記コア側金型とのいずれか一方に設けられて、前記キャビティ側金型と前記コア側金型との合わせ面となるパーティング面方向へ移動可能な入れ子と、前記キャビティ側金型と前記コア側金型との間にフィルムを供給するフィルム供給部と、前記入れ子に設けられて前記フィルムを加熱する加熱部と、前記入れ子に設けられて前記フィルムを吸着する吸着部とを備え、前記フィルム供給部により前記キャビティ側金型と前記コア側金型間にフィルムを供給し、前記入れ子をパーティング面方向へ移動させ、さらに前記入れ子を加熱しながら前記フィルムを吸着し、かつ前記入れ子を移動させることにより前記フィルムを伸ばし、その後、前記入れ子を後退させることによって成形した前記フィルムが存在するキャビティを形成し、前記キャビティの前記フィルム表面に樹脂を射出することにより、フィルムが貼り合わされた成形品を成形することを特徴とする。
【００２６】
前記構成の本発明によれば、入れ子を、キャビティ側金型とコア側金型との合わせ面（パーティング面）よりも突出させてフィルムに接触させ、フィルムに接触させた後、フィルムを伸ばして予備成形させることができ、そのとき、入れ子をヒータなどで加熱することにより、フィルムを軟化させてフィルムを伸ばしやすい状態にすることができる。さらに、入れ子に対してエア吸引などにより、フィルムを密着させながら成形を行うことができる。
【発明の効果】
【００２７】
本発明によれば、入れ子を、キャビティ側金型とコア側金型の合わせ面（パーティング面）よりも突出させて、入れ子によりフィルムを予備成形させる。このことにより、入れ子の凸形状部分にてフィルムをあらかじめ伸ばすため、従来、射出成形時の樹脂圧のみでフィルムを伸ばす場合は破れていた場合でも、フィルムの破れが発生することなく、フィルムを予備成形させることができる。
【００２８】
さらに、入れ子をヒータなどで加熱し、フィルムを軟化させることによりフィルムが伸び易くなり、フィルムの破れを生じることなくフィルム予備成形を行うことができる。
【００２９】
また、入れ子において、フィルムをエア吸引などにて密着させることができるため、入れ子とフィルムとがずれることなく、確実に成形を行うことができる。
【００３０】
このように、フィルムを予備成形させ、その後、樹脂を流し込んで予備成形されたフィルムと共に射出成形を行うことにより、フィルムの破れがなく、フィルムと樹脂成形品とが密着したフィルム付き樹脂成形品を得ることができる。
【図面の簡単な説明】
【００３１】
【図１】本発明の実施形態におけるフィルム予備成形，射出成形前の金型の状態を示す断面図
【図２】本実施形態におけるキャビティ入れ子とフィルムが接触した金型の状態を示す断面図
【図３】本実施形態におけるフィルムを予備成形した金型の状態を示す断面図
【図４】本実施形態におけるフィルムを予備成形した状態をフィルム送り方向から見た断面図
【図５】本実施形態におけるフィルムと押えプレートとの配置を示した平面図
【図６】本実施形態における射出成形前の金型の状態を示す断面図
【図７】本実施形態における射出成形後の金型の状態を示す断面図
【図８】本実施形態におけるフィルムを切断した金型の状態を示す断面図
【図９】本実施形態における一連の工程が終わり、樹脂成形部品を取り出すときの金型の状態を示す断面図
【図１０】従来の射出成形と同時にフィルムを貼り合わせる金型の断面図
【図１１】従来のエア吸引にてフィルムを予備成形させる金型の断面図
【図１２】従来のエア吸引にてフィルムを予備成形させた金型の状態を示す断面図
【図１３】従来のフィルム押えにてフィルムを押えた金型の状態を示す断面図
【図１４】従来のフィルムの破れが発生した成形樹脂部品の断面図
【発明を実施するための形態】
【００３２】
以下、本発明の実施の形態について、図面を参照しながら説明する。
【００３３】
図１は、本発明の実施形態において樹脂成形部品を製作する場合、射出成形と同時に射出成形品の表面にフィルムを貼り合わせる射出成形金型装置の断面図であり、フィルム成形，射出成形前の状態を示している。
【００３４】
図１において、２０１はフィルム、２０２は多孔質材からなるキャビティ入れ子、２０２ａはキャビティ入れ子２０２に貫通して設けられたエア吸引孔、２０３はキャビティプレート、２０４はキャビティプレート２０３を支持するプレート、２０５は受けピン、２０６はキャビティ入れ子２０２に連結された移動ピン、２０７はキャビティ入れ子２０２に内設されたヒータ、２０８は、キャビティプレート２０３とプレート２０４とを貫通して、キャビティ入れ子２０２とキャビティプレート２０３間に連通するエア吸引用の通孔、２０９はコアプレート、２１０は押えプレート、２１１はコアプレート２０９を支持するプレート、２１２は受けピン２０５に弾接するピン２１３を付勢するスプリングである。
【００３５】
本実施形態において、金型は、主にキャビティプレート２０３とプレート２０４にて構成されて成形樹脂製品の表側（意匠面側）となるキャビティ側金型と、主にコアプレート２０９とプレート２１１にて構成されて樹脂製品の裏側となるコア金型の部分に分かれる。キャビティ側金型とコア側金型が開いた状態のとき、成形樹脂部品の表面に貼り付けるフィルム２０１を、キャビティ側金型とコア側金型の間に挿入する。
【００３６】
フィルム２０１を挿入する方法としては、図１に示すように、図示しない搬送手段によりフィルム２０１のロール材をフィルム送り方向から巻き取り方向へ、成形ショットごとに自動的に間欠で送る方法、あるいは、樹脂成形品に貼り合わせる大きさよりも大きい形状に切断されたフィルム２０１を手動にて金型に貼り付ける方法も可能である。
【００３７】
次の工程を図２に示す。移動ピン２０６を駆動させてキャビティ入れ子２０２を、キャビティプレート２０３とコアプレート２０９との合わせ面（パーティング面）２１４となる位置よりも、コア金型側へ突出させ、キャビティ入れ子２０２の表面をフィルム２０１に当接させる。
【００３８】
ヒータ２０７によりキャビティ入れ子２０２を加熱し、キャビティ入れ子２０２を昇温させることにより、フィルム２０１を加熱させる。なお、ヒータ２０７だけではなく、温水，高温流体，高温蒸気などを、キャビティ入れ子２０２に形成した孔を移動させて、キャビティ入れ子２０２を昇温させるようにしてもよい。
【００３９】
キャビティ入れ子２０２でフィルム２０１を加熱させることにより、フィルム２０１が軟化し、フィルム２０１が伸びやすく変形しやすい状態となる。このときのフィルム２０１の加熱温度としては、樹脂の軟化が始まるガラス転移点温度付近に設定するのが望ましく、フィルム２０１がＡＢＳ系であれば１００℃程度、アクリル系であれば１２０℃程度が適切である。
【００４０】
また、フィルム２０１の加熱時間としては、フィルム２０１の厚みにもよるが、数十秒から１分程度が適切である。フィルム２０１の厚みが薄ければ短い時間で可能であり、厚ければ、その分長く必要である。ただし、長い時間加熱すると成形サイクルが長くなるので注意が必要である。
【００４１】
さらに、このとき、キャビティ入れ子２０２のエア吸引孔２０２ａから、通孔２０８を通してエアを吸引することにより、フィルム２０１をキャビティ入れ子２０２に密着させることができる。フィルム２０１がキャビティ入れ子２０２に密着することにより、キャビティ入れ子２０２の熱が確実にフィルム２０１へ伝わる。
【００４２】
この場合、キャビティ入れ子２０２のエア吸引孔２０２ａを、フィルム厚みの半分以上の直径とすると、フィルム２０１がエア吸引孔２０２ａにならって変形してしまうので、半分以下の直径とすることが望ましい。
【００４３】
ただし、鏡面状態のフィルムの場合、フィルム厚みの半分以下の直径であっても、フィルムに孔跡が残ってしまうので、直径０．１ｍｍ以下の孔径にする必要がある。ただし、直径０．１ｍｍの孔加工は難しく、また数多くの孔を加工するのはコスト的、時間的に現実的ではない。
【００４４】
本実施形態では、限られた数箇所に形成したエア吸引孔２０２ａによって、フィルム２０１とキャビティ入れ子２０２とが部分的に吸着している状態であるため密着力が弱い。そこで、キャビティ入れ子２０２にエア吸引孔２０２ａを形成する以外に、金属材料に無数の微細孔が含まれている多孔質状の材料によりキャビティ入れ子２０２を形成することも考えられる。このようにすることにより、数十ミクロンの孔が金属内部に空いている状態になるため、エアを通すことができ、また孔径も小さいのでフィルムへの影響もほとんどない。状況によっては、入れ子全体に多孔質状の材料を使用するのではなく、必要な部分のみに多孔質状の材料を使用するようにしてもよい。
【００４５】
このように、多孔質状の材料をキャビティ入れ子２０２に使用してエアを吸引することにより、キャビティ入れ子２０２とフィルム２０１が点での密着ではなく面として密着するため、密着強度が強力になり、キャビティ入れ子２０２とフィルム２０１とのずれを防止することができる。
【００４６】
次に、図３に示すように、キャビティ側金型とコア側金型を、押えプレート２１０と受けピン２０５とでフィルム２０１を挟む状態まで閉じ、キャビティ入れ子２０２と押えプレート２１０と受けピン２０５によりフィルム２０１を成形する。このとき、キャビティ入れ子２０２によってフィルム２０１を突き上げ、キャビティ入れ子２０２の凸形状部にてフィルム２０１を成形するため、従来難しかったフィルムコーナ部分においても、フィルムを伸ばすことができる。
【００４７】
図１２に示すような、従来のフィルム予備成形方法（吸引して金型面にフィルムを密着させる）であると、コーナ部１０７においてフィルム１０１が金型に密着されず、金型とフィルム１０１に空間が発生してしまう。そのためフィルム１０１にしわが発生し、またフィルム１０１と金型がずれることにより、フィルム１０１に損傷を与える原因となる。
【００４８】
一方、本実施形態であれば、キャビティ入れ子２０２にてフィルム２０１を成形するため、コーナ部２１５となる場所などにおいて、フィルム２０１を確実に伸ばすことができる。さらに、キャビティ入れ子２０２は加熱され、フィルム２０１がガラス転移点温度になっており、軟化して伸ばされやすい状態となっているので、フィルム２０１は破れることなく成形される。また、フィルム２０１はエア吸着にてキャビティ入れ子２０２に面接触で密着しているので、成形中に位置ずれが発生することがなく、フィルム２０１のしわ，傷の発生を防止することができる。
【００４９】
このとき、押えプレート２１０はフィルム２０１に対して０．０５〜０．５ｍｍの隙間が設定されている。もし、押えプレート２１０でフィルム２０１を押えてしまい、フィルム成形時、フィルム２０１が中央部に寄せられることを抑制してしまうと、フィルム２０１の破れの原因となってしまう。
【００５０】
また、押えプレート２１０とフィルム２０１に大きな隙間を空けてしまうと、フィルム２０１が中央部に寄せられるときに、しわとなって破れの原因や外観不良になってしまう。押えプレート２１０とフィルム２０１間の隙間を適切に設定する方法としては、図４に示すように、押えプレート２１０に突起２１６を設けることが考えられる。
【００５１】
図４は金型をフィルムの送り方向から見た断面図、図５は押えプレート２１０とフィルム２０１の関係を示す平面図である。
【００５２】
図４，図５において、押えプレート２１０を全体として四角のリング状とし、樹脂成形部品の外周をフィルム２０１と隙間を設ける状態で拘束し、また、その隙間を確保するための突起部２１６を押えプレート２１０におけるフィルム２０１の幅の外側に設置する。その突起部２１６を受けピン２０５に当接させることにより、押えプレート２１０とフィルム２０１の隙間を確保することができるようにしている。
【００５３】
図３〜図５に示すような動作をさせることにより、フィルム２０１を破れることなく伸ばし、しわが発生しない状態でフィルム成形することができる。
【００５４】
その後、図６に示すように、キャビティプレート２０３とコアプレート２０９とが接触する状態まで金型を閉じ、その動作と同時に移動ピン２０６を移動させてキャビティ入れ子２０２を、キャビティプレート２０３とコアプレート２０９のパーティング面２１４より後退させる。このとき、通孔２０８よりエアを吸引させているので、キャビティ入れ子２０２に形成されたエア吸引孔２０２ａからの吸引作用により、フィルム２０１がキャビティ入れ子２０２に密着されており、キャビティ入れ子２０２の後退の動作と共に、フィルム２０１は成形される樹脂に貼り合わされる正規の状態に成形される。
【００５５】
このようにキャビティ入れ子２０２と密着された状態でフィルム２０１が成形されるので、フィルム２０１がずれることなく成形され、しわや傷の発生も防止することができる。
【００５６】
また、図３に示す工程にて、フィルムコーナ部がキャビティ入れ子２０２の凸形状部分にて既に伸ばされているので、図６の工程でのフィルムコーナ部２１５の部分が、隙間なく金型表面に密着される。このとき、キャビティ入れ子２０２のエア吸引孔２０２ａを通してエアを吸引させるが、前述したように、キャビティ入れ子２０２を多孔質状の材料で形成するようにしてもよい。この工程が終わった時点で、樹脂成形部品に貼り合わせる形状にフィルム２０１が成形される。
【００５７】
次に、図７に示すように、キャビティ入れ子２０２に貼り合わされたフィルム２０１と、コアプレート２０９との隙間に樹脂２１７を流し込んで射出成形を行い、樹脂部品を成形する。射出成形前の段階で、フィルム２０１はキャビティ入れ子２０２に密着されているため、射出成形の樹脂圧力でフィルム２０１の破れが発生することはない。射出成形が行われると同時に樹脂２１７とフィルム２０１が熱溶着し、フィルム２０１が樹脂２１７に貼り合わされる。
【００５８】
その次の工程を図８に示す。射出成形が終わり、射出成形樹脂部品が冷却固化された後、受けピン２０５が移動する。受けピン２０５と押えプレート２１０は接触しているので、受けピン２０５が移動すると同時に、スプリング２１２により押えプレート２１０はキャビティ側金型方向へ突出してくる。そのとき、キャビティプレート２０３のエッジ部分と、押えプレート２１０のエッジ部分が嵌合し、押えプレート２１０の外形に設けた切断部でフィルム２０１の切断が行われる。
【００５９】
その後、図９に示すように、キャビティ側金型とコア側金型を開くと、既にフィルム２０１が切断されているので、フィルム２０１が貼り付けられた樹脂成形部品２１８が取り出される。押えプレート２１０にてフィルム２０１の切断が行われ、その大きさはフィルム２０１の材料幅よりも小さいので、フィルム２０１のロール材としては、幅方向の両端面がつながって、樹脂製品部分が抜けた状態となる。
【００６０】
そのため、フィルム２０１のロール材を、樹脂の射出成形が終了した時点で、１工程分フィルムを巻き取り、新しいフィルムをキャビティ側金型とコア側金型の間に送り込むことができるため、連続してこれらの一連の動作を行うことが可能である。
【００６１】
なお、本実施形態では、キャビティ側金型にキャビティ入れ子２０２を設け、キャビティ入れ子２０２を可動させるようにしたが、製品形状によっては、コア側金型にコア入れ子を設け、コア側金型を可動させることも可能である。
【産業上の利用可能性】
【００６２】
本発明を用いれば、複雑な形状をした成形樹脂部品であっても、加飾フィルムが破れることなく成形樹脂部品に貼り合わせることができる。従来では別工程にてフィルムを予備成形し、その後、射出成形にてフィルムを貼り合わせていたが、本発明では射出成形と同じ工程でフィルムを予備成形して、その後、射出成形を行うので、工程の短縮が可能である。その結果、加飾フィルムが貼り合わされ、複雑な形状をした成形樹脂部品を安価に提供することができるため、多種多様な射出成形に適用できる。
【符号の説明】
【００６３】
２０１  フィルム
２０２  キャビティ入れ子
２０２ａ  エア吸引孔
２０３  キャビティプレート
２０４  プレート
２０５  受けピン
２０６  移動ピン
２０７  ヒータ
２０８  通孔
２０９  コアプレート
２１０  押えプレート
２１１  プレート
２１２  スプリング
２１３  ピン
２１４  パーティング面
２１５  フィルムコーナ部
２１６  突起部
２１７  樹脂
２１８  樹脂部品
【図１】
2010264669.tif 000003
【図２】
2010264669.tif 000004
【図３】
2010264669.tif 000005
【図４】
2010264669.tif 000006
【図５】
2010264669.tif 000007
【図６】
2010264669.tif 000008
【図７】
2010264669.tif 000009
【図８】
2010264669.tif 000010
【図９】
2010264669.tif 000011
【図１０】
2010264669.tif 000012
【図１１】
2010264669.tif 000013
【図１２】
2010264669.tif 000014
【図１３】
2010264669.tif 000015
【図１４】
2010264669.tif 000016